(57)【要約】      （修正有）【課題】ローソク又は電球も使えるランプシェードを提供する。【解決手段】照明灯を囲うランプシェードにおいて、上方が開口した、円筒体、直方体などの箱体１０ａからなり、周壁に少なくとも１つの縦全長にわたる細溝１２ａが設けられ、電球を用いる場合には配線コードの通し溝となり、ローソク１４ｃの使用では通気溝となり、ローソクによる火炎の揺れが促進される。【選択図】図１
0003114529.tif 000002
【実用新案登録請求の範囲】
【請求項１】
照明灯を囲うランプシェードにおいて、上方が開口した箱体からなり、周壁に少なくとも１つの縦全長にわたる細溝が設けられ、電球を用いる場合には配線コードの通し溝となり、ローソクの使用では通気溝となることを特徴とする、ランプシェード。
【請求項２】
周壁が透明であることを特徴とする、請求項１に記載のランプシェード。
【請求項３】
周壁と底部とが別体で、底部はその上面中央にローソク又は電球リテナーの保持部を備えていることを特徴とする、請求項１又は２に記載のランプシェード。
【考案の詳細な説明】
【技術分野】
【０００１】
本考案は、照明灯を囲う主に卓上ランプシェードに関し、照明灯として電球又はローソクが使用可能なランプシェードに関する。
【背景技術】
【０００２】
従来例より、照明灯として電灯を用いる場合は、電球、リテナーを備え、底からくぐらされる配線コードをもつシェードが使われ、ローソクを用いる場合は、単にこれを保持して囲う容器ないし箱体のものが使われている。
【考案の開示】
【考案が解決しようとする課題】
【０００３】
ローソクによる火炎は不規則に揺れて幻想的な雰囲気を演出し、特に家庭内で人気があるが、火災になる恐れがあるため、その場に誰かいることが求められる。その場を止むを得ず離れるとき、就寝につくときなど、多少の明かりを必要とするために豆電灯のランプシェードが必要となる。そこで、本考案の課題は、ローソク又は電球も使えるランプシェードを提供することである。
【課題を解決するための手段】
【０００４】
前記した課題は、照明灯を囲うランプシェードにおいて、上方が開口した箱体からなり、周壁に少なくとも１つの縦全長にわたる細溝が設けられ、電球を用いる場合には配線コードの通し溝となり、ローソクの使用では通気溝となることで、解決される。
【考案の効果】
【０００５】
本考案では、ランプシェードの周壁に少なくとも１つの縦全長にわたる細溝が設けられているので、その細溝が電球を用いる場合には配線コードの通し溝となり、ローソクの使用では通気溝となり、１つのランプシェードでローソクにも電球にも使える。
【考案を実施するための最良の形態】
【０００６】
照明灯を囲うランプシェードにおいて、上方が開口した直方体状の箱体からなり、周壁が透明でかつその周壁に少なくとも１つの縦全長にわたる細溝が設けられ、電球を用いる場合には配線コードの通し溝となり、ローソクの使用では通気溝及びライター火口筒の通し溝となる。
【実施例】
【０００７】
図１に示すように、上方が開口した透明の円筒状で照明灯を囲うランプシェード１０ａにおいて、その周壁に１つの縦全長にわたる細溝１２ａが設けられ、この細溝が図示しないが電球を用いる場合には配線コードの通し溝となり、図示例のようにローソク１４ｃの使用では通気溝となり、ローソクによる火炎の揺れが促進される。
【０００８】
図２に示すものは、上方が開口した透明の直方体からなり、照明灯を囲うランプシェード１０ｂである。その周壁に１つの縦全長にわたる細溝１２ｂが設けられ、この細溝が図示しないが電球を用いる場合には配線コードの通し溝となり、図示例のようにローソク１４ｃの使用では通気溝となり、ローソクに火を灯すと火炎の揺れが促進される。
【０００９】
図３に示すものは、同様に上方が開口した透明の直方体からなり、照明灯を囲うランプシェード１０ｂである。その周壁に１つの縦全長にわたる細溝１２ｂが設けられ、この細溝が図示例のように電球１４ｅの使用では配線コードの通し溝となる。なお、ランプシェード１０ｂの高さはもっと大きくすることも任意である。
【００１０】
なお、図示例のローソク１４ｃ、電球１４ｅはランプシェード１０の底面に直接配置されているが、例えば図示しないが鍔型で内孔を備えたホルダー（保持具）を使ってその内孔にローソク又は電球リテナーを固定保持させてもよい。前記した保持具を使うと、ローソクの火焔がランプシェード側壁から隔離して、側壁の損傷を防止できる。
【００１１】
本考案によるランプシェード１０は透明でなくてもよいが透明のものが好ましい。また、周囲壁部に網目、パンチ穴などの付いたランプシェードでもよく、ここで透明とは外部より内部が透視できるものも含む。図１，２，３のものは周壁と底部とが一体成形のものであるが、図４に示すように別体のものでもよい。上方から見て、外形は円、四角、多角形であってもよい。照明灯を用いるため、ランプシェードはガラス、硬質プラスチック、金属など耐熱性、難燃性の材質が好ましい。図示例では、ランプシェード１０の全周壁に１つの縦全長にわたる細溝１２が設けられているが、２つ以上の細溝１２を設けてもよい。
【００１２】
図４のものは、上方が開口した透明の四角状筒体１０ｃからなり、周壁と底部１８とが別体であり、底部１８はその上面中央にローソク又は電球リテナーを保持できる凹部１８ｈを備えている。図５は別体底部１８の正面図であり、段付き部１８ｓにランプシェード１０ｃの下端周縁が当接、嵌め合わされる。この実施例ではローソクの火焔がランプシェード側壁から隔離して、側壁の損傷を防止できる。
【００１３】
図６は、上方が開口した透明の直方体状ランプシェード１０ｂが示されており、この図上方にはＬ型２面硬質シートからなり、その内面又は外面に任意の模様ないし和紙、その他の色彩を施すことができる調度シート１６が示されている。図示例のようにこの調度シート１６をランプシェード１０ｂの隅各部を介して２つの周側面に沿って配置し、照明灯１４ｃ又は１４ｅを灯せば、その明かりが背面側でそのシート１６のデザインに応じて調度される。このような調度シートを複数用意して適当に取り替えれば、その都度、興趣に富んだ明かりを楽しめる。例えば、１枚の調度シート１６にはホログラムフィルムを貼り付け、もう１枚の調度シート１６には半透明の和紙を貼り付け、この２枚でランプシェードの全周面を覆ってもよい。
【図面の簡単な説明】
【００１４】
【図１】ローソクを使った１実施例を示した斜視図。
【図２】ローソクを使った他の実施例を示した斜視図。
【図３】電球を使った他の実施例を示した斜視図。
【図４】底部と別体のさらに別の実施例を示した斜視図。
【図５】別体底部の正面図。
【図６】調度シートを使った実施例説明図。
【符号の説明】
【００１５】
１０              ランプシェード
１２              細溝
１４ｃ  ローソク                    １４ｅ  電球
１６              調度シート
１８    別体底部            １８ｈ  保持部      １８ｓ  段付き部
【図１】
0003114529.tif 000003
【図２】
0003114529.tif 000004
【図３】
0003114529.tif 000005
【図４】
0003114529.tif 000006
【図５】
0003114529.tif 000007
【図６】
0003114529.tif 000008